【手続補正書】
【提出日】平成27年3月31日(2015.3.31)
【手続補正１】
【補正対象書類名】明細書
【補正対象項目名】００１０
【補正方法】変更
【補正の内容】
【００１０】
本発明は、複数の３次元モデルのアセンブリの整合性を容易にユーザに確認させることを目的とする。
【手続補正２】
【補正対象書類名】明細書
【補正対象項目名】００１２
【補正方法】変更
【補正の内容】
【００１２】
本発明によれば、複数の３次元モデルのアセンブリの整合性を容易にユーザに確認させることができる。
【手続補正３】
【補正対象書類名】特許請求の範囲
【補正対象項目名】全文
【補正方法】変更
【補正の内容】
【特許請求の範囲】
【請求項１】
第１の３次元モデルを構成する複数の第１アセンブリであって、当該第１アセンブリの３次元モデルにおける階層情報とファイル名を持つ当該第１アセンブリを記憶手段から複数取得する第１の取得手段と、
第２の３次元モデルを構成する複数の第２アセンブリであって、３次元モデルにおける階層情報とファイル名を持つ当該第２アセンブリを記憶手段から複数取得する第２の取得手段と、
前記第１の取得手段で取得した前記第１アセンブリと前記第２の取得手段で取得した前記第２アセンブリとを、前記階層情報と前記ファイル名とを用いて比較する比較手段と、
前記比較手段で比較した結果、前記階層情報と前記ファイル名とが前記第１アセンブリと一致する前記第２アセンブリを、前記第１アセンブリと並列表示する並列表示手段と
を備えることを特徴とする情報処理装置。
【請求項２】
前記並列表示手段は、前記第１アセンブリと前記第２アセンブリのファイル名または前記階層情報のいずれかが異なる場合には並列表示させないこと
を特徴とする請求項１に記載の情報処理装置。
【請求項３】
前記並列表示手段は、前記ファイル名と前記階層情報とが前記第１アセンブリと一致する第２アセンブリが存在したとしても、既に当該第２アセンブリが当該第１アセンブリと異なるアセンブリと並列表示をしている場合には、当該第１アセンブリと当該第２アセンブリとを並列表示させないこと
を特徴とする請求項１または２に記載の情報処理装置。
【請求項４】
前記並列表示手段は、前記階層情報に基づいて階層順に前記第１アセンブリと前記第２アセンブリとを並列表示すること
を特徴とする請求項１乃至３のいずれか１項に記載の情報処理装置。
【請求項５】
前記並列表示手段は、前記取得手段で取得した第１アセンブリの階層情報が示すツリー構造の順番で前記第１アセンブリと前記第２アセンブリとを並列表示すること
を特徴とする請求項４に記載の情報処理装置。
【請求項６】
前記情報処理装置は、第２の３次元モデルを構成する複数の第２アセンブリを記憶する記憶手段を備えるサーバと通信可能に接続され、
前記第２の取得手段は、前記サーバの前記記憶手段から前記第２アセンブリを取得すること
を特徴とする請求項１乃至５に記載の情報処理装置。
【請求項７】
前記第１の３次元モデルをサーバに送信する送信手段を更に備え、
前記第２の３次元モデルは、前記送信手段で送信された第１の３次元モデルを記憶手段に記憶したものであること
を特徴とする請求項６に記載の情報処理装置。
【請求項８】
情報処理装置の第１の取得手段が、第１の３次元モデルを構成する複数の第１アセンブリであって、当該第１アセンブリの３次元モデルにおける階層情報とファイル名を持つ当該第１アセンブリを記憶手段から複数取得する第１の取得ステップと、
前記情報処理装置の第２の取得手段が、第２の３次元モデルを構成する複数の第２アセンブリであって、３次元モデルにおける階層情報とファイル名を持つ当該第２アセンブリを記憶手段から複数取得する第２の取得ステップと、
前記情報処理装置の比較手段が、前記第１の取得ステップで取得した前記第１アセンブリと前記第２の取得ステップで取得した前記第２アセンブリとを、前記階層情報と前記ファイル名とを用いて比較する比較ステップと、
前記情報処理装置の並列比較手段が、前記比較ステップで比較した結果、前記階層情報と前記ファイル名とが前記第１アセンブリと一致する前記第２アセンブリを、前記第１アセンブリと並列表示する並列表示ステップと
を備えることを特徴とする情報処理装置の制御方法。
【請求項９】
情報処理装置を、
第１の３次元モデルを構成する複数の第１アセンブリであって、当該第１アセンブリの３次元モデルにおける階層情報とファイル名を持つ当該第１アセンブリを記憶手段から複数取得する第１の取得手段と、
第２の３次元モデルを構成する複数の第２アセンブリであって、３次元モデルにおける階層情報とファイル名を持つ当該第２アセンブリを記憶手段から複数取得する第２の取得手段と、
前記第１の取得手段で取得した前記第１アセンブリと前記第２の取得手段で取得した前記第２アセンブリとを、前記階層情報と前記ファイル名とを用いて比較する比較手段と、
前記比較手段で比較した結果、前記階層情報と前記ファイル名とが前記第１アセンブリと一致する前記第２アセンブリを、前記第１アセンブリと並列表示する並列表示手段
として機能させることを特徴とする情報処理装置で実行可能なプログラム。
【請求項１０】
第１の３次元モデルを構成する複数の第１アセンブリであって、当該第１アセンブリの３次元モデルにおける階層情報とファイル名を持つ当該第１アセンブリを記憶手段から複数取得する第１の取得手段と、
第２の３次元モデルを構成する複数の第２アセンブリであって、３次元モデルにおける階層情報とファイル名を持つ当該第２アセンブリを記憶手段から複数取得する第２の取得手段と、
前記第１の取得手段で取得した前記第１アセンブリと前記第２の取得手段で取得した前記第２アセンブリとを、前記階層情報と前記ファイル名とを用いて比較する比較手段と、
前記比較手段で比較した結果、前記階層情報と前記ファイル名とが前記第１アセンブリと一致する前記第２アセンブリを、前記第１アセンブリと並列表示する並列表示手段と
を備えることを特徴とする情報処理システム。
【請求項１１】
情報処理システムの第１の取得手段が、第１の３次元モデルを構成する複数の第１アセンブリであって、当該第１アセンブリの３次元モデルにおける階層情報とファイル名を持つ当該第１アセンブリを記憶手段から複数取得する第１の取得ステップと、
前記情報処理システムの第２の取得手段が、第２の３次元モデルを構成する複数の第２アセンブリであって、３次元モデルにおける階層情報とファイル名を持つ当該第２アセンブリを記憶手段から複数取得する第２の取得ステップと、
前記情報処理システムの比較手段が、前記第１の取得ステップで取得した前記第１アセンブリと前記第２の取得ステップで取得した前記第２アセンブリとを、前記階層情報と前記ファイル名とを用いて比較する比較ステップと、
前記情報処理システムの並列表示手段が、前記比較ステップで比較した結果、前記階層情報と前記ファイル名とが前記第１アセンブリと一致する前記第２アセンブリを、前記第１アセンブリと並列表示する並列表示ステップと
を備えることを特徴とする情報処理システムの制御方法。
【請求項１２】
情報処理システムを、
第１の３次元モデルを構成する複数の第１アセンブリであって、当該第１アセンブリの３次元モデルにおける階層情報とファイル名を持つ当該第１アセンブリを記憶手段から複数取得する第１の取得手段と、
第２の３次元モデルを構成する複数の第２アセンブリであって、３次元モデルにおける階層情報とファイル名を持つ当該第２アセンブリを記憶手段から複数取得する第２の取得手段と、
前記第１の取得手段で取得した前記第１アセンブリと前記第２の取得手段で取得した前記第２アセンブリとを、前記階層情報と前記ファイル名とを用いて比較する比較手段と、
前記比較手段で比較した結果、前記階層情報と前記ファイル名とが前記第１アセンブリと一致する前記第２アセンブリを、前記第１アセンブリと並列表示する並列表示手段
として機能させることを特徴とする情報処理システムで実行可能なプログラム。